(57)【要約】【課題】作業者の人手によりメディアから余白部分を効率よく除去する。【解決手段】印刷データにより印刷処理を行う印刷手段と、カッティングデータによりカッティング処理を行うカッティング手段と、メディアの被印刷領域において印刷成果物が印刷されていない余白部分の余白部分面積を取得する余白部分面積取得手段と、余白部分面積が余白部分面積基準値を超えたか否かを判定する比較判定手段と、比較判定手段により余白部分面積が余白部分面積基準値を超えたと判定されたときに、余白部分を余白部分面積基準値以下の領域毎に分割して複数の分割余白部を生成するとともに、分割余白部同士の界面を予め設定された角度に設定する余白部分分割手段と、界面を切断するカッティングデータを生成するカッティングデータ生成手段と、カッティングデータに基づきカッティング手段が界面を切断するように制御するカッティング制御手段とを有する。【選択図】        図４
2020151922.tif 000002
【特許請求の範囲】
【請求項１】
印刷データに基づきメディアに対して印刷処理を行う印刷手段と、
カッティングデータに基づき前記メディアに対してカッティング処理を行うカッティング手段と、
前記メディアの被印刷領域の面積から前記印刷データに基づき前記印刷手段により印刷される印刷成果物の面積を減算して、前記被印刷領域において前記印刷成果物が印刷されていない余白部分の余白部分面積を取得する余白部分面積取得手段と、
前記余白部分面積と余白部分面積基準値とを比較し、前記余白部分面積が前記余白部分面積基準値を超えたか否かを判定する比較判定手段と、
前記比較判定手段により前記余白部分面積が前記余白部分面積基準値を超えたと判定されたときに、前記余白部分を前記余白部分面積基準値以下の領域毎に分割して複数の分割余白部を生成するとともに、前記分割余白部同士の界面を予め設定された角度に設定する余白部分分割手段と、
前記界面を切断する余白部分カッティングデータを生成する余白部分カッティングデータ生成手段と、
前記余白部分カッティングデータに基づき前記カッティング手段が前記界面を切断するように制御するカッティング制御手段と
を有することを特徴とする印刷装置。
【請求項２】
請求項１に記載の印刷装置において、さらに、
予め設定された模様の画像データを記憶する記憶手段と、
前記余白部分に対して、前記画像データに基づき前記印刷手段が前記模様を印刷するように制御する印刷制御手段と
を有することを特徴とする印刷装置。
【請求項３】
請求項２に記載の印刷装置において、
前記印刷制御手段は、前記界面の切断箇所の周囲の領域を除いて、前記印刷手段が前記模様を印刷するように制御する
ことを特徴とする印刷装置。
【請求項４】
請求項１、２または３のいずれか１項に記載の印刷装置において、
前記印刷制御手段は、前記印刷手段が前記界面の切断箇所を示すカッティング線を印刷するように制御する
ことを特徴とする印刷装置。
【請求項５】
メディアに対して印刷する機能を備えた印刷装置において、
印刷データに基づきメディアに対して印刷処理を行う印刷手段と、
予め設定された模様の画像データを記憶する記憶手段と、
前記メディアの被印刷領域における前記印刷データに基づき印刷されない余白部分に対して、前記画像データに基づき前記印刷手段が前記模様を印刷するように制御する印刷制御手段と
を有することを特徴とする印刷装置。
【請求項６】
メディアに対して印刷する機能とカッティングする機能とを備えた印刷装置の印刷方法において、
メディアの被印刷領域の面積から印刷データに基づき印刷される印刷成果物の面積を減算して、前記被印刷領域において前記印刷成果物が印刷されていない余白部分の余白部分面積を取得する余白部分面積取得工程と、
前記余白部分面積と余白部分面積基準値とを比較し、前記余白部分面積が前記余白部分面積基準値を超えたか否かを判定する比較判定工程と、
前記比較判定工程において前記余白部分面積が前記余白部分面積基準値を超えたと判定されたときに、前記余白部分を前記余白部分面積基準値以下の領域毎に分割して複数の分割余白部を生成するとともに、前記分割余白部同士の界面を予め設定された角度に設定する余白部分分割工程と、
前記界面を切断する余白部分カッティングデータを生成する余白部分カッティングデータ生成工程と、
前記余白部分カッティングデータに基づき前記界面を切断するカッティング工程と
を有することを特徴とする印刷方法。
【請求項７】
請求項６に記載の印刷方法において、さらに、
前記余白部分に対して、予め設定された模様を印刷する印刷工程と
を有することを特徴とする印刷方法。
【請求項８】
請求項７に記載の印刷方法において、
前記界面の切断箇所の周囲の領域を除いて前記模様を印刷する
ことを特徴とする印刷方法。
【請求項９】
請求項６、７または８のいずれか１項に記載の印刷方法において、
前記界面の切断箇所を示すカッティング線を印刷する
ことを特徴とする印刷方法。
【請求項１０】
メディアに対して印刷する機能を備えた印刷装置の印刷方法において、
予め設定された模様の画像データを記憶しておき、
前記メディアの被印刷領域における印刷成果物が印刷されない余白部分に対して、前記画像データに基づき前記模様を印刷する
ことを特徴とする印刷方法。
【発明の詳細な説明】
【技術分野】
【０００１】
本発明は、印刷装置および印刷方法に関する。さらに詳細には、本発明は、メディアに印刷した成果物を切り出して利用する場合に用いて好適な印刷装置および印刷方法に関する。
【背景技術】
【０００２】
一般に、例えば、特開２００４−１１４５５０号公報や特開２０１０−１９６０２１号公報などに開示されているように、被印刷領域（印刷可能な領域）である表面素材とセパレーター（剥離紙）とを粘着層を介して積層して形成したシール状のメディア（なお、本明細書ならびに本特許請求の範囲においては、「被印刷領域である表面素材とセパレーターとを粘着層を介して積層して形成したシール状のメディア」について、単に「シール」と適宜に称する。）を用いて、表面素材に所望の印刷を行うとともに、表面素材における印刷された成果物（印刷成果物）を切り出して利用することができるように、印刷成果物を除く領域（余白部分）を剥離可能にカッティング（切断）しておく印刷装置が知られている。
【０００３】
ここで、図１（ａ）は、上記したような従来の装置を用いた印刷の手法を示す説明図であり、シール１００の表面素材に対して欧文字「ＡＢＣ」を印刷し、これら印刷した欧文字「ＡＢＣ」を切り出し可能とするために、欧文字「ＡＢＣ」の周囲をカッティングした状態が模式的に示されている。
【０００４】
図１（ａ）において、黒色で示された領域（黒色領域）が印刷成果物である欧文字「ＡＢＣ」を示し、薄灰色で示された領域が表面素材の地色部分（印刷されていない領域）である余白部分となり、黒色領域と余白部分との界面がカッティングにより形成された切断部である。
【０００５】
カッティングにより形成された切断部に沿ってシール１００から余白部分を取り除くことにより、図１（ｂ）に示す最終成果物１０２が得られる。即ち、最終成果物１０２を得るためには、作業者の人手によりシール１００から不要な余白部分を取り払う必要がある。
【０００６】
ところで、作業者の人手によりシールから余白部分を効率よく除去するためには、余白部分の面積や除去する方向などに配慮を払うことが好ましいが、従来の印刷装置や印刷方法においてはこうした点は考慮されていないという問題点があった。
【０００７】
また、従来の印刷装置や印刷方法においては、例えば、上記した欧文字「Ｂ」における文字の輪郭で囲われた内部の空間部分などのように、作業者が視覚により印刷成果物と余白部分とを判別することが容易ではない領域があり、除去すべき余白部分の見落としなどが発生するという問題点もあった。
【先行技術文献】
【特許文献】
【０００８】
【特許文献１】特開２００４−１１４５５０号公報
【特許文献２】特開２０１０−１９６０２１号公報
【発明の概要】
【発明が解決しようとする課題】
【０００９】
本発明は、従来の技術が有する上記したような種々の問題点に鑑みてなされたものであり、その目的とするところは、作業者の人手によりメディアから余白部分を効率よく除去することを可能にした印刷装置および印刷方法を提供しようとするものである。
【００１０】
また、本発明の目的とするところは、作業者が視覚により印刷成果物と余白部分とを容易に判別することができるようにして、除去すべき余白部分の見落としなどが発生することのないようにした印刷装置および印刷方法を提供しようとするものである。
【課題を解決するための手段】
【００１１】
上記目的を達成するために、本発明は、余白部分の面積が予め設定した基準値より大きい場合には、当該余白部分を予め設定された方向に延長する切断部により分割するようにしたものである。
【００１２】
従って、本発明によれば、余白部分の面積や除去する方向を制御することができ、作業者の人手により余白部分を効率よく除去することが可能となる。
【００１３】
また、上記目的を達成するために、本発明は、余白部分に予め設定された模様の画像を印刷するようにしたものである。
【００１４】
従って、本発明によれば、作業者が視覚により印刷成果物と余白部分とを明確に判別することができるようになり、除去すべき余白部分の見落としなどの発生が防止される。
【００１５】
即ち、本発明による印刷装置は、印刷データに基づきメディアに対して印刷処理を行う印刷手段と、カッティングデータに基づき上記メディアに対してカッティング処理を行うカッティング手段と、上記メディアの被印刷領域の面積から上記印刷データに基づき上記印刷手段により印刷される印刷成果物の面積を減算して、上記被印刷領域において上記印刷成果物が印刷されていない余白部分の余白部分面積を取得する余白部分面積取得手段と、上記余白部分面積と余白部分面積基準値とを比較し、上記余白部分面積が上記余白部分面積基準値を超えたか否かを判定する比較判定手段と、上記比較判定手段により上記余白部分面積が上記余白部分面積基準値を超えたと判定されたときに、上記余白部分を上記余白部分面積基準値以下の領域毎に分割して複数の分割余白部を生成するとともに、上記分割余白部同士の界面を予め設定された角度に設定する余白部分分割手段と、上記界面を切断する余白部分カッティングデータを生成する余白部分カッティングデータ生成手段と、上記余白部分カッティングデータに基づき上記カッティング手段が上記界面を切断するように制御するカッティング制御手段とを有するようにしたものである。
【００１６】
また、本発明による印刷装置は、上記した本発明による印刷装置において、さらに、予め設定された模様の画像データを記憶する記憶手段と、上記余白部分に対して、上記画像データに基づき上記印刷手段が上記模様を印刷するように制御する印刷制御手段とを有するようにしたものである。
【００１７】
また、本発明による印刷装置は、上記した本発明による印刷装置において、上記印刷制御手段は、上記界面の切断箇所の周囲の領域を除いて、上記印刷手段が上記模様を印刷するに制御するようにしたものである。
【００１８】
また、本発明による印刷装置は、上記した本発明による印刷装置において、上記印刷制御手段は、上記印刷手段が上記界面の切断箇所を示すカッティング線を印刷するように制御するようにしたものである。
【００１９】
また、本発明による印刷装置は、印刷データに基づきメディアに対して印刷処理を行う印刷手段と、予め設定された模様の画像データを記憶する記憶手段と、上記メディアの被印刷領域における上記印刷データに基づき印刷されない余白部分に対して、上記画像データに基づき上記印刷手段が上記模様を印刷するように制御する印刷制御手段とを有するようにしたものである。
【００２０】
また、本発明による印刷方法は、メディアに対して印刷する機能とカッティングする機能とを備えた印刷装置の印刷方法において、メディアの被印刷領域の面積から印刷データに基づき印刷される印刷成果物の面積を減算して、上記被印刷領域において上記印刷成果物が印刷されていない余白部分の余白部分面積を取得する余白部分面積取得工程と、上記余白部分面積と余白部分面積基準値とを比較し、上記余白部分面積が上記余白部分面積基準値を超えたか否かを判定する比較判定工程と、上記比較判定工程において上記余白部分面積が上記余白部分面積基準値を超えたと判定されたときに、上記余白部分を上記余白部分面積基準値以下の領域毎に分割して複数の分割余白部を生成するとともに、上記分割余白部同士の界面を予め設定された角度に設定する余白部分分割工程と、上記界面を切断する余白部分カッティングデータを生成する余白部分カッティングデータ生成工程と、上記余白部分カッティングデータに基づき上記界面を切断するカッティング工程とを有するようにしたものである。
【００２１】
また、本発明による印刷方法は、上記した本発明による印刷方法において、さらに、上記余白部分に対して、予め設定された模様を印刷する印刷工程とを有するようにしたものである。
【００２２】
また、本発明による印刷方法は、上記した本発明による印刷方法において、上記界面の切断箇所の周囲の領域を除いて上記模様を印刷するようにしたものである。
【００２３】
また、本発明による印刷方法は、上記した本発明による印刷方法において、上記界面の切断箇所を示すカッティング線を印刷するようにしたものである。
【００２４】
また、本発明による印刷方法は、メディアに対して印刷する機能を備えた印刷装置の印刷方法において、予め設定された模様の画像データを記憶しておき、上記メディアの被印刷領域における印刷成果物が印刷されない余白部分に対して、上記画像データに基づき上記模様を印刷するようにしたものである。
【発明の効果】
【００２５】
本発明は、以上説明したように構成されているので、作業者の人手によりメディアから余白部分を効率よく除去することが可能になるという優れた効果を奏するものである。
【００２６】
また、本発明は、以上説明したように構成されているので、作業者が視覚により印刷成果物と余白部分とを容易に判別することができるようになり、除去すべき余白部分の見落としなどが防止されるという優れた効果を奏するものである。
【図面の簡単な説明】
【００２７】
【図１】図１（ａ）は、従来の装置を用いた印刷およびカッティングの手法を示す説明図である。図１（ｂ）は、図１（ａ）における最終成果物を示す説明図である。
【図２】図２は、本発明の実施の形態の一例による印刷装置であるカッティング機能を備えたインクジェットプリンタを模式的に示す正面概略構成説明図である。
【図３】図３は、図２に示すインクジェットプリンタにおけるマイクロコンピューターの本発明の実施に関連する機能的構成を示すブロック構成説明図である。
【図４】図４は、図２に示すインクジェットプリンタが実行する印刷・カッティング処理の処理ルーチンを示すフローチャートである。
【図５】図５は、本発明による印刷・カッティング処理の処理結果の一例を示す説明図である。
【図６】図６は、本発明による印刷・カッティング処理の処理結果の他の例を示す説明図である。
【図７】図７は、本発明による印刷・カッティング処理の処理結果の他の例を示す説明図である。
【図８】図８は、本発明による印刷・カッティング処理の処理結果の他の例を示す説明図である。
【発明を実施するための形態】
【００２８】
以下、添付の図面を参照しながら、本発明による印刷装置および印刷方法の実施の形態の一例について詳細に説明するものとする。
【００２９】
なお、以下の説明においては、本発明の実施の形態の一例による印刷装置として、カッティング機能を備えたインクジェットプリンタについて説明する。
【００３０】
図２には、本発明の実施の形態の一例による印刷装置であるカッティング機能を備えたインクジェットプリンタを模式的に示す正面概略構成説明図が示されている。
【００３１】
インクジェットプリンタ１０は、筐体１２内に主走査方向に沿って延長して配設されたベッド部１４を備えている。
【００３２】
符号１６は、ベッド部１４の直上を主走査方向に沿って延長して配設されたガイドレールである。
【００３３】
ガイドレール１６には、駆動装置１８と、印刷処理装置２０と、カッティング処理装置２２とが、主走査方向に沿って移動自在に配設されている。
【００３４】
ここで、駆動装置１８は、モーターなどの駆動源の作動によって、ガイドレール１６に沿って自走可能に構成されている。印刷処理装置２０とカッティング処理装置２２とは、それぞれ駆動装置１８と連結自在および分離自在に構成されている。
【００３５】
なお、ガイドレール１６に沿って駆動装置１８が自走する構成や、印刷処理装置２０やカッティング処理装置２２がそれぞれ駆動装置１８と連結自在および分離自在とされる構成については、従来より公知の技術（例えば、特開２００１−２６０４４３号公報などを参照する。）を用いればよいのでその詳細な説明は省略する。
【００３６】
印刷処理装置２０は、ベッド部１４上に載置されたシールなどのメディア２４に対して、インクジェットノズルからインクジェット方式によりインクを吐出して印刷を行うインクヘッドを有して構成されている。印刷処理装置２０は、印刷処理時には駆動装置１８と連結されて、駆動装置１８により主走査方向へ移動される。
【００３７】
カッティング処理装置２２は、メディア２４をカッティングするカッターを有して構成されている。カッティング処理装置２２は、カッティング処理時には駆動装置１８と連結されて、駆動装置１８により主走査方向へ移動される。
【００３８】
インクジェットプリンタ１０は、マイクロコンピューター２６を備えており、このマイクロコンピューター２６の制御により、メディア２４へ印刷する内容を示す印刷データに基づき駆動装置１８と印刷処理装置２０とを制御して、メディア２４の表面に対して印刷して印刷成果物を得る。
【００３９】
また、インクジェットプリンタ１０は、マイクロコンピューター２６の制御により、メディア２４の表面における印刷成果物と余白部分との界面を示すカッティングデータに基づき駆動装置１８とカッティング処理装置２２とを制御して、メディア２４をカッティングする。
【００４０】
なお、印刷データに従って印刷処理装置２０によりメディア２４の表面に対して印刷する手法や、カッティングデータに従ってカッティング処理装置２２によりメディア２４をカッティングする手法については、従来より公知の技術（例えば、特開２００１−２６０４４３号公報などを参照する。）を用いればよいのでその詳細な説明は省略する。
【００４１】
次に、図３には、図２に示すインクジェットプリンタ１０におけるマイクロコンピューター２６の本発明の実施に関連する機能的構成を示すブロック構成説明図があらわされている。
【００４２】
マイクロコンピューター２６は、制御部２６ａと、記憶部２６ｂと、余白部分面積取得部２６ｃ、比較判定部２６ｄと、余白部分分割部２６ｅと、余白部分カッティングデータ生成部２６ｆと、余白部分カッティング制御部２６ｇと、余白部分印刷制御部２６ｈとを有して構築されている。
【００４３】
制御部２６ａは、インクジェットプリンタ１０により実行される本発明の実施に関連する印刷・カッティング処理や従来より公知の各種の処理などの制御を行う。
【００４４】
記憶部２６ｂは、本発明の実施に関連しては、インクジェットプリンタ１０が処理する印刷データやカッティングデータならびに余白部分面積基準値やメディア２４の被印刷領域（印刷可能な領域）の面積などを記憶する。また、記憶部２６ｂは、余白部分に印刷する予め設定された模様（余白部分模様）の画像データ（余白部分画像データ）を記憶する。
【００４５】
ここで、余白部分面積基準値は、余白部分を分割する際の基準となる面積を示すものである。余白部分面積基準値は、作業者の人手により余白部分を除去する際の作業性を考慮して、余白部分が作業者の人手により容易に除去可能な面積に分割されるように予め設定しておく。
【００４６】
余白部分面積取得部２６ｃは、記憶部２６ｂに記憶されたメディア２４の被印刷領域の面積から、印刷データに基づいてメディア２４の表面に対して印刷されることになる印刷成果物の面積を減算して、余白部分の面積（余白部分面積）を取得する。
【００４７】
比較判定部２６ｄは、記憶部２６ｂに記憶された余白部分面積基準値と余白部分面積取得部２６ｃが取得した余白部分面積とを比較する。
【００４８】
余白部分分割部２６ｅは、余白部分面積基準値を超える余白部分面積を備えた余白部分を、余白部分面積基準値以下の領域毎に分割して、当該分割された複数の領域（分割余白部）を生成する。各分割余白部の界面は、分割余白部を除去しやすい角度、例えば、メディア２４の被印刷領域において主走査方向に対して４５°の角度や主走査方向と平行となる角度になるようにする。
【００４９】
余白部分カッティングデータ生成部２６ｆは、余白部分分割部２６ｅにより生成された分割余白部同士の界面を切断するためのカッティングデータ（余白部分カッティングデータ）を生成する。
【００５０】
余白部分カッティング制御部２６ｇは、余白部分カッティングデータ生成部２６ｆが生成した余白部分カッティングデータに従って、カッティング処理装置２２を制御する。
【００５１】
余白部分印刷制御部２６ｇは、記憶部２６ｂに記憶された余白部分画像データに従って、余白部分の全体に余白部分模様を印刷するように印刷処理装置２０を制御する。
【００５２】
以上の構成において、インクジェットプリンタ１０においては、マイクロコンピューター２６の制御により、本発明の実施に関連しては、図４に示す印刷・カッティング処理の処理ルーチンを実行する。
【００５３】
インクジェットプリンタ１０においては、作業者による操作子（図示せず。）の操作により記憶部２６ｂに記憶された印刷データおよびカッティングデータが指定されて印刷・カッティング処理の開始が指示されると、図４のフローチャートに示す印刷・カッティング処理の処理ルーチンが起動して実行される。
【００５４】
この印刷・カッティング処理の処理ルーチンが起動されると、指定された印刷データおよびカッティングデータを記憶部２６ｂから読み出す（ステップＳ４０２）。
【００５５】
ステップＳ４０２の処理を終了すると、ステップＳ４０４の処理へ進み、余白部分面積取得部２６ｃは、記憶部２６ｂに記憶されたメディア２４の被印刷領域の面積から、ステップＳ４０２の処理で読み出した印刷データにより印刷される印刷成果物の面積を減算して、余白部分面積を取得する。
【００５６】
ステップＳ４０４の処理を終了すると、ステップＳ４０６の処理へ進み、比較判定部２６ｄは、記憶部２６ｂに記憶された余白部分面積基準値と余白部分面積取得部２６ｃが取得した余白部分面積とを比較して、余白部分面積が余白部分面積基準値を超えているか否かを判定する。
【００５７】
ステップＳ４０６の判定処理の判定結果が、余白部分面積が余白部分面積基準値を超えていないと判定された場合（Ｎｏ）には、ステップＳ４０８の処理へ進み、ステップＳ４０２の処理で読み出した印刷データに従ってメディア２４に対する印刷処理を行う。
【００５８】
ステップＳ４０８の処理を終了すると、ステップＳ４１０の処理へ進み、余白部分印刷制御部２６ｇにより印刷処理装置２０を制御して、余白部分画像データに従って余白部分の全体に余白部分模様を印刷する。
【００５９】
ステップＳ４１０の処理を終了すると、ステップＳ４１２の処理へ進み、ステップＳ４０２の処理で読み出したカッティングデータに従ってメディア２４をカッティングし、この印刷・カッティング処理の処理ルーチンを終了する。
【００６０】
ここで、図５を参照しながら、ステップＳ４０２→ステップＳ４０４→ステップＳ４０６→ステップＳ４０８→ステップＳ４１０→ステップＳ４１２と進む処理ルーチンにおける印刷・カッティング処理の処理結果について説明する。
【００６１】
図５において、黒色で示された領域（黒色領域）が印刷成果物である欧文字「ＥＦＨ」を示しており、メディア２４における余白部分が余白部分面積基準値を超えていない場合（ステップＳ４０６の判定結果がＮｏ）には、印刷データに従ってメディア２４に対して印刷を行って印刷成果物（欧文字「ＥＦＨ」）を得て（ステップＳ４０８）、さらに、余白部分の全体に余白部分模様ＭＰＰを印刷し（ステップＳ４１２）、その後にカッティングデータに従って印刷成果物と余白部分との界面をカッティングする。図５に示す例においては、余白部分模様ＭＰＰは微小ドットである。
【００６２】
一方、ステップＳ４０６の判定処理の判定結果が、余白部分面積が余白部分面積基準値を超えていると判定された場合（Ｙｅｓ）には、ステップＳ４１４の処理へ進み、余白部分分割部２６ｅにより、余白部分面積を余白部分面積基準値以下の領域毎に分割して分割余白部を生成する。
【００６３】
ステップＳ４１４の処理を終了すると、ステップＳ４１６の処理へ進み、余白部分カッティングデータ生成部２６ｆにより、余白部分分割部２６ｅにより生成された分割余白部同士の界面を切断するための余白部分カッティングデータを生成する。
【００６４】
ステップＳ４１６の処理を終了すると、ステップＳ４１８の処理へ進み、ステップＳ４０２の処理で読み出した印刷データに従ってメディア２４に対する印刷処理を行う。
【００６５】
ステップＳ４１８の処理を終了すると、ステップＳ４２０の処理へ進み、余白部分印刷制御部２６ｇにより印刷処理装置２０を制御して、余白部分画像データに従って余白部分の全体に余白部分模様を印刷する。
【００６６】
ステップＳ４２０の処理を終了すると、ステップＳ４２２の処理へ進み、ステップＳ４０２の処理で読み出したカッティングデータに従ってメディア２４をカッティングする。
【００６７】
ステップＳ４２２の処理を終了すると、ステップＳ４２４の処理へ進み、余白部分カッティング制御部２６ｈによりカッティング処理装置２２を制御して、余白部分カッティングデータに従ってメディア２４をカッティングし、この印刷・カッティング処理の処理ルーチンを終了する。
【００６８】
ここで、図６を参照しながら、ステップＳ４０２→ステップＳ４０４→ステップＳ４０６→ステップＳ４１４→ステップＳ４１６→ステップＳ４１８→ステップＳ４２０→ステップＳ４２２→ステップＳ４２４と進む処理ルーチンにおける印刷・カッティング処理の処理結果について説明する。
【００６９】
図６において、黒色で示された領域（黒色領域）が印刷成果物である欧文字「ＡＢＣ」を示しており、メディア２４における余白部分が余白部分面積基準値を超えている場合（ステップＳ４０６の判定結果がＹｅｓ）には、分割余白部ＤＭを生成して（ステップＳ４１４）、さらに余白部分カッティングデータを生成する（ステップＳ４１６）。その後に、印刷データに従ってメディア２４に対して印刷を行って印刷成果物（欧文字「ＡＢＣ」）を得て（ステップＳ４１８）、さらに、余白部分の全体に余白部分模様ＭＰＰを印刷する（ステップＳ４２０）。それから、カッティングデータに従って印刷成果物と余白部分との界面をカッティングした後に、余白部分カッティングデータに従って分割余白部ＤＭ同士の界面をカッティングする（符号ＣＰで示す破線は、余白部分カッティングデータによりカッティングされた切断部を示す。）。図６に示す例においては、余白部分模様ＭＰＰは微小ドットである。
【００７０】
従って、インクジェットプリンタ１０における印刷・カッティング処理の処理ルーチンによれば、作業者の人手により容易に除去可能な面積を超える余白部分は、作業者の人手により容易に除去可能な面積以下の分割余白部ＤＭに分割され、分割余白部ＤＭの界面は分割余白部ＤＭを除去しやすい角度に形成され、当該界面がカッティングされる。
【００７１】
即ち、インクジェットプリンタ１０における印刷・カッティング処理の処理ルーチンによれば、余白部分の面積や除去する方向を制御することができるので、作業者の人手により余白部分を効率よく除去することが可能になる。
【００７２】
また、上記において説明したインクジェットプリンタ１０における印刷・カッティング処理の処理ルーチンによれば、余白部分の全体に余白部分模様ＭＰＰが印刷される。
【００７３】
このため、作業者が視覚により印刷成果物と余白部分とを明確に判別することができるようになり、除去すべき余白部分の見落としなどの発生を防止することが可能になる。
【００７４】
なお、上記した実施の形態は例示に過ぎないものであり、本発明は他の種々の形態で実施することができる。即ち、本発明は、上記した実施の形態に限定されるものではなく、本発明の要旨を逸脱しない範囲で種々の省略、置き換え、変更などを行うようにしてもよいことは勿論である。
【００７５】
例えば、上記した実施の形態は、以下の（１）乃至（７）に示すように変形するようにしてもよい。
【００７６】
（１）上記した実施の形態において、余白部分印刷制御部２６ｈの制御により、図６における切断部ＣＰが位置する切断箇所を示すカッティング線を実線や破線あるいは一点鎖線などで印刷するようにして、作業者が容易に視認できるように明示的に示すようにしてもよいことは勿論である。
【００７７】
（２）上記した実施の形態において、図６における切断部ＣＰが位置する切断箇所やカッティングデータによる切断箇所の周囲の領域については、余白部分印刷制御部２６ｈの制御により、図７に示すように余白部分模様ＭＰＰを印刷することなく地色部分（印刷されていない領域）を残した空白領域ＢＡにして、作業者が容易に視認できるようにしてもよいことは勿論である。また、余白部分印刷制御部２６ｈの制御により、図８に示すように空白領域ＢＡに実線や破線あるいは一点鎖線などでカッティング線ＣＬを印刷するようにして、作業者が容易に視認できるように明示的に示すようにしてもよいことは勿論である。なお、空白領域ＢＡについては、適宜の値に予め寸法設定されていてもよいし、作業者がマニュアル操作により適宜の値に設定するようにしてもよい。
【００７８】
（３）上記した実施の形態においては、余白部分を分割余白部に分割する際の方法の詳細な説明は省略したが、例えば、メディア２４の被印刷領域において予め設定された原点位置（例えば、被印刷領域が長方形の場合には、当該長方形の左下頂点の位置である。）を決めておき、原点位置から主走査方向や当該主走査方向と直交する方向に沿って余白部分面積基準値以下となるように順次分割すればよい。
【００７９】
（４）上記した実施の形態においては、分割余白部の界面の角度として主走査方向に対して４５°の角度や主走査方向と平行となる角度を例示したが、これに限られるものではないことは勿論である。分割余白部の界面の角度は、例えば、印刷成果物の輪郭形状などに応じて自動的に予め設定された角度に設定されるようにしてもよい。
【００８０】
（５）上記した実施の形態においては、余白部分の分割や分割余白部の界面の角度の設定については自動的に行われるようにしたが、これに限られるものではないことは勿論である。例えば、作業者のマニュアル操作により、余白部分の分割や分割余白部の界面の角度の設定を行うようにしてもよい。
【００８１】
（６）上記した実施の形態においては、余白部分模様ＭＰＰとして微小ドットを例示したが、これに限られるものではないことは勿論である。余白部分模様は、例えば、パターン、記号、図形、線、文字などやあるいはそれらと色の組み合わせなどでもよい。
【００８２】
（７）上記した各実施の形態ならびに上記した（１）乃至（６）に示す各実施の形態は、適宜に組み合わせるようにしてもよいことは勿論である。
【産業上の利用可能性】
【００８３】
本発明は、メディアに印刷した成果物を切り出して利用する場合などに用いて好適である。
【符号の説明】
【００８４】
１０    インクジェットプリンタ（印刷装置）
１２    筐体
１４    ベッド部
１６    ガイドレール
１８    駆動装置
２０    印刷処理装置（印刷手段）
２２    カッティング処理装置（カッティング手段）
２４    メディア
２６    マイクロコンピューター
２６ａ  制御部
２６ｂ  記憶部（記憶手段）
２６ｃ  余白部分面積取得部（余白部分面積取得手段）
２６ｄ  比較判定部（比較判定手段）
２６ｅ  余白部分分割部（余白部分分割手段）
２６ｆ  余白部分カッティングデータ生成部（余白部分カッティングデータ生成手段）
２６ｇ  余白部分カッティング制御部（カッティング制御手段）
２６ｈ  余白部分印刷制御部（印刷制御手段）
１００    シール
１０２    最終成果物
【図１】
2020151922.tif 000003
【図２】
2020151922.tif 000004
【図３】
2020151922.tif 000005
【図４】
2020151922.tif 000006
【図５】
2020151922.tif 000007
【図６】
2020151922.tif 000008
【図７】
2020151922.tif 000009
【図８】
2020151922.tif 000010